(57)【要約】【課題】機器やラック全体への大規模な構造変更を行うことなく、所定の規格のラックに収容される電子機器の前面の位置の不揃いを容易に調整する支持装置、固定具及び支持方法を提供する。【解決手段】  被支持体Ｓをラック１に固定するための支持装置１００であって、ラック１に固定されて被支持体Ｓを支えるマウントレール２と、被支持体Ｓの挿抜方向（矢印ｃ−ｄ方向）にスライドすることによりラック１における被支持体Ｓの固定位置を調整する位置調整部材４と、ラック１を介して位置調整部材４及び被支持体Ｓを固定する連結部材５と、を具備する。【選択図】図１
2018174179.tif 000002
【特許請求の範囲】
【請求項１】
被支持体をラックに固定するための支持装置であって、
前記ラックに固定され、前記被支持体を支える支持体と、
前記被支持体の挿抜方向にスライドすることによって、前記ラックにおける前記被支持体の固定位置を調整する位置調整部材と、
前記ラックを介して、前記位置調整部材及び前記被支持体を固定する連結部材と、を具備することを特徴とする支持装置。
【請求項２】
前記支持体は、上下方向に配置された柱状のラックに前後方向に沿うように固定されて、被支持体をインナーレールに沿って移動自在に支持するマウントレールであり、
前記位置調整部材は、前記マウントレールに固定されかつ前後方向に向く案内穴を有する取付部材と、該取付部材の案内穴を貫通して前後方向にスライド自在に設けられたスライド部材と、を有することを特徴とする請求項１に記載の支持装置。
【請求項３】
前記支持体は、少なくとも一対設けられており、これら支持体の間にて前記被支持体の両側部が前後方向にスライド自在に支持されることを特徴とする請求項１又は２のいずれか１項に記載の支持装置。
【請求項４】
前記ラックには、長さ方向に一定の間隔をおいて複数のラック貫通孔が設置されており、
このラック貫通孔には、前記支持体が支持されるとともに、前記スライド部材が貫通されることを特徴とする請求項１〜３のいずれか１項に記載の支持装置。
【請求項５】
前記連結部材は前記ラック貫通孔を貫通した前記スライド部材の前端部に設置されることを特徴とする請求項４に記載の支持装置。
【請求項６】
前記ラックは少なくとも前後左右に少なくとも４本が設置されており、
前記ラック貫通孔及び前記連結部材は、前側でかつ左右に位置する少なくとも２本のラックに設置されることを特徴とする請求項５に記載の支持装置。
【請求項７】
前記取付部材には前記スライド部材を案内穴に固定するための固定手段が設けられていることを特徴とする請求項１〜６のいずれか１項に記載の支持装置。
【請求項８】
前記固定手段はネジからなる締結手段により構成されることを特徴とする請求項７に記載の支持装置。
【請求項９】
前記固定手段は、前記スライド部材を付勢力により保持するばね部材により構成されることを特徴とする請求項７に記載の支持装置。
【請求項１０】
被支持体をラックに固定するための固定具であって、
前記被支持体の挿抜方向にスライドすることによって、前記ラックにおける前記被支持体の固定位置を調整する位置調整部材と、
前記ラックを介して、前記位置調整部材及び前記被支持体を固定する連結部材と、を具備することを特徴とする固定具。
【請求項１１】
被支持体をラックに固定する支持方法であって
前記被支持体の挿抜方向にスライド可能とすることによって、前記ラックにおける前記被支持体の固定位置を調整する位置調整部材の位置を調整するステップと、
前記ラックを介して前記位置調整部材と被支持体とを固定するステップと、を備えることを特徴とする支持方法。
【発明の詳細な説明】
【技術分野】
【０００１】
本発明は、サーバ等の電子機器をラックに支持するための支持装置、固定具及び支持方法に関する。
【背景技術】
【０００２】
サーバ等の電子機器を所定の配置で複数台支持し、あるいは収容するため、ラックが用いられることがある。
例えば、特許文献１に示されるラックは、上下（鉛直）方向に沿うように配置された柱状のラックに前後方向に沿うように固定されたマウントレールを有し、このマウントレールに、シャーシ側金具を介して電子機器を支持させているものである。
また、電子機器とラックとの連結は、電子機器側のガイドピンをラック側の篏合孔に締結することにより行われる。
【先行技術文献】
【特許文献】
【０００３】
【特許文献１】実開平３−５９６７７号公報
【特許文献２】特開２００７−１０８５２８号公報
【発明の概要】
【発明が解決しようとする課題】
【０００４】
ところで、上記特許文献１に示されるラック構造では、複数台ある電子機器の前面の位置が不揃いである場合、又は1台の電子機器の前面が大きく飛び出している場合、これを調整することは困難である。すなわち、所定の規格で製作されたラックに収容することができる電子機器の外形寸法には制限がある。
一方、特許文献２には、固定具となる長尺の腕部に沿うように形成された長孔に、電子機器を支持するスライド部材をスライド自在に設けるとともに、該長孔の所定位置にてスライド部材を腕部に締結する技術が示されている。
しかしながら、特許文献２は、単に、電子機器を支持するスライド部材を前方又は後方にスライドさせるだけの技術であり、例えば、特許文献１に示されるラック構造にいかなるスライド構造を適用して前記不揃い等の不具合を解消するかを示すものではなく、この点において新たな技術が期待されていた。
【０００５】
この発明は、上述した事情に鑑みてなされたものであって、ラックやこれに支持される被支持体全体を設計変更することなく、少数の部品を取り付けることにより、ラック構造に支持された被支持体となる電子機器を、個別に前後方向にスライドさせることができ、これにより電子機器の前面の位置の不揃いを容易に解消することができる支持装置、固定具及び支持方法を提供する。
【課題を解決するための手段】
【０００６】
上記課題を解決するために、この発明は以下の手段を提案している。
本発明の第１形態に示される支持装置では、ラックに固定されて被支持体を支えるレール部材と、前記被支持体の挿抜方向にスライドすることによって、前記ラックにおける前記被支持体の固定位置を調整する位置調整部材と、前記ラックを介して、前記位置調整部材及び前記被支持体を固定する連結部材と、を具備することを特徴とする。
【０００７】
本発明の第２形態に示される固定具では、被支持体の挿抜方向にスライドすることによって、ラックにおける前記被支持体の固定位置を調整する位置調整部材と、前記ラックを介して、前記位置調整部材及び前記被支持体を固定する連結部材と、を具備することを特徴とする。
【０００８】
本発明の第３形態に示される支持方法では、被支持体の挿抜方向にスライド可能とすることによって、前記ラックにおける前記被支持体の固定位置を調整する位置調整部材の位置を調整するステップと、前記ラックを介して前記位置調整部材と被支持体とを固定するステップと、を備えることを特徴とする。
【発明の効果】
【０００９】
本発明によれば、既存のラック構造への適用により、大規模な構造変更を行うことなく、ラックに収容される電子機器の前面の不揃いを容易に調整することができる。
【図面の簡単な説明】
【００１０】
【図１】本発明に係る支持装置１００を示す図である。
【図２】本発明の第１実施形態に係る支持装置１０１を示す図である。
【図３】本発明の第２実施形態に係る支持装置１０２を示す図である。
【発明を実施するための形態】
【００１１】
本発明の支持装置１００の最少構成について、図1を参照して説明する。
図１に符号１で示すものは柱状のラックであって、一方向（実施形態では、矢印ａ−ｂ方向）に沿うように、少なくとも４本が配置されている。
これら柱状のラック１には、被支持体Ｓの挿抜方向（実施形態では、矢印ｃ−ｄ方向に沿う被支持体Ｓの引き出し、挿入方向）に沿うように支持体となるマウントレール２が固定されている。
このマウントレール２の内側には被支持体Ｓを移動自在に支持するインナーレール３が設けられている。
【００１２】
また、このマウントレール２には、被支持体Ｓの挿抜方向（矢印ｃ−ｄ方向）にスライドすることによりラック１における被支持体Ｓの固定位置を調整する位置調整部材４と、ラック１を介して位置調整部材４及び被支持体Ｓを固定する連結部材５と、が設けられている。
そして、以上のように構成された支持装置１００では、これら位置調整部材４と連結部材５とを介して、被支持体Ｓとなる例えば電子機器を、ラック１に対して前後方向（矢印ｃ−ｄ方向）に移動可能とすることができる。
【００１３】
この結果、本発明の支持装置１００では、被支持体Ｓが左右に複数あり、かつこれら被支持体Ｓの前面が不揃いである場合、又は１台の被支持体Ｓの前面が大きく飛び出している場合であっても、これら不具合を修正して被支持体Ｓの前面を同一面とすることが可能となる。
すなわち、本発明に示される支持装置１００では、既存の一般的な構造のラックに適用することによって、ラックあるいは被支持体全体の構造を大規模に設計変更することなく、ラック１に収容される被支持体Ｓである電子機器の前面の不揃いを容易に調整することが可能となる。
【００１４】
なお、この支持装置１００は、『被支持体Ｓの挿抜方向（矢印ｃ−ｄ方向）にスライド可能とすることによって、ラック１における被支持体Ｓの固定位置を調整する位置調整部材４の位置を調整するステップと、ラック１を介して位置調整部材４と被支持体Ｓとを固定するステップと、を有する支持方法』が採用されている。
また、上述した位置調整部材４と連結部材５とにより、ラック１の固定具６が構成される。
【００１５】
（第１実施形態）
本発明をさらに具体化した第１実施形態の支持装置１０１について、図２を参照して説明する。
図２に符号１１で示すものは柱状のラックであって、図１と同様に、上下方向（矢印ａ−ｂ方向）に沿うように少なくとも４本が配置されている。
これらラック１１は、前後左右に間隔をおいて配置されており、前後に配置された一対のラック１１間に被支持体Ｓである電子機器が設置される。
【００１６】
これら柱状のラック１１には、締結手段１２Ａを介してマウントレール１２が前後方向（矢印ｃ−ｄ方向）に沿うように固定されている。
マウントレール１２は、前後に配置されたラック１１間に配置されたものであって、図示の場合、互いに平行に２本設置されている。
また、マウントレール１２の内側に位置するラックマウント面１２Ｂには、被支持体Ｓである電子機器（の筐体）の側部に係合し、かつ該電子機器を前後方向（矢印ｃ−ｄ方向）に移動自在に支持するためのインナーレール（図示略）が設けられている。
【００１７】
このマウントレール１２の外側には、前後方向（矢印ｃ−ｄ方向）に向く案内穴１４を有する取付部材１５が固定されている。
この取付部材１５は、案内穴１４を貫通するように設置されたスライド部材１６を、前後方向（矢印ｃ−ｄ方向）にスライド自在に支持するものであって、前後に位置するラック１１間に位置している。
このスライド部材１６は、図２のｃ−ｄ方向から見た断面の形状が四角形状に形成されており、これに対応して該スライド部材１６を支持する案内穴１４も同図のｃ−ｄ方向から見て四角形の中空状に形成されている。
【００１８】
また、取付部材１５には、スライド部材１６を案内穴１４に固定するための固定手段（図２の例では雄ねじを有するボルト）２０が設けられている。
この固定手段２０はねじ部２１にねじ込まれる締結手段であって、該固定手段２０を取付部材１５のねじ部２１にねじ込むことにより、このねじ部２１を経由してスライド部材１６の案内穴１４内に突出する。このように固定手段２０をねじ込んでスライド部材１６の表面に圧接することにより、取付部材１５とスライド部材１６とが一体に連結される。
なお、案内穴１４を有する取付部材１５及びスライド部材１６により、位置調整部材１０が構成される。
【００１９】
また、スライド部材１６の前端部には、被支持体Ｓをスライド部材１６に連結するための連結部材１７が設置されている。
この連結部材１７は、被支持体Ｓと一体に形成されて、被支持体Ｓの両側方へ突出する突部３０（図２では右側のみを示し左側を省略している）を貫通するボルト３１を有し、該ボルト３１をスライド部材１６の前端部のねじ穴３２に締結することにより、被支持体Ｓとスライド部材１６とを連結する。
【００２０】
また、前側に位置するラック１１は、連結部材１７と取付部材１５との間に配置されており、該ラック１１には、スライド部材１６を前後方向（矢印ｃ−ｄ方向）に挿通する複数のラック貫通孔４０が設置されている。
これらラック貫通孔４０は、ラック１１の長さ方向（図示例では鉛直方向）に沿って、所定の配列ピッチで複数設置されており、互いに隣接する３つのラック貫通孔４０の中の２つに締結手段１２Ａを介してマウントレール１２が固定され、１つにスライド部材１６が挿通されている。そして、いずれのラック貫通孔４０を選択してマウントレール１２を挿通させるかにより、被支持体Ｓの高さ寸法に応じて、複数の被支持体Ｓを所定の上下間隔でラック１１に支持させることができる。
また、これらラック貫通孔４０と案内穴１４とをスライド部材１６が通過することから、ラック貫通孔４０に合わせて、四角形状の断面形状にスライド部材１６が形成されている。
【００２１】
そして、以上のように構成された第１実施形態の支持装置１０１では、ラック１１の前後方向（矢印ｃ−ｄ方向）に設置されかつレール部に沿って被支持体Ｓを移動自在に支持するマウントレール１２に、前後方向に向く案内穴１４を有する取付部材１５を固定した。
この取付部材１５には、案内穴１４を貫通して前後方向にスライド自在なスライド部材１６を配置し、さらにこのスライド部材１６には、連結部材１７を介して、被支持体Ｓとなる装置、例えばサーバ等の電子機器を連結した。さらに、取付部材１５には、スライド部材１６を取付部材１５の案内穴１４に固定するためのねじ部２１にねじ込まれる固定手段２０（図示の場合はボルト）が設けられている。
なお、前記固定手段２０による固定個所は、図示のように複数であっても、単数であっても良い。
【００２２】
これにより、第１実施形態の支持装置１０１では、マウントレール１２に固定される取付部材１５に対して、被支持体Ｓが連結されるスライド部材１６を前後方向（矢印ｃ−ｄ方向）に移動可能に固定することができる。
この結果、第１実施形態の支持装置１０１では、被支持体Ｓが上下及び／または左右に複数存在し、かつこれら被支持体Ｓの前面が不揃いである場合、又は１台の被支持体Ｓの前面が大きく飛び出している場合であっても、取付部材１５に対してスライド部材１６を図２のｃ―ｄ方向へ相対的に移動させながら、ｃ−ｄ方向への位置を調整することにより、これらの不具合を修正して被支持体Ｓの前面をラックの前側から見て同一面とすることが可能となる。
すなわち、第１実施形態に示される支持装置１０１では、既存のラック構造に適用することで、大規模な構造変更を行うことなく、ラック１１に収容される被支持体Ｓである電子機器の前面の不揃いを容易に調整することが可能となる。
なお、上述した位置調整部材１０と連結部材１７とにより、ラック１１の固定具５０が構成される。
【００２３】
（第２実施形態）
本発明の第２実施形態の支持装置１０２について、図３を参照して説明する。
第２実施形態の支持装置１０２が、第１実施形態の支持装置１０１と構成と異にする点は、取付部材１５の案内穴１４にスライド部材１６を固定するための固定手段２０´の構成である。
すなわち、第２実施形態の固定手段２０´では、第１実施形態の固定手段２０に代えて板バネ２２が設けられている。この板バネ２２は、取付部材１５の上面に配置されるもので、基端部２２ａが取付部材１５の上面に固定されて上方へ曲がりながら弾性変形ようになっている。また、前記板バネ２２の先端は、折り曲げられて、突起部２２ｂが形成されている。この突起部２２ｂは、固定部の前端より前方で下向きに突出し、案内穴１４内に挿入されたスライド部材１６の上面に所定の相互間隔で配置された複数の係合穴１６ａに択一的に挿入されるようになっている。
【００２４】
これにより、第２実施形態の支持装置１０２では、前記板バネ２２の先端を持ち上げるように（矢印ｃ方向へ）弾性変形させて、突起部２２ｂを係合孔１６ａから抜き出すことにより、スライド部材１６が案内穴１４内をスライド移動自在となり、最適な位置に位置決めした後、前記板バネ２２の保持をやめることによって板バネ２２が矢印ｄ方向へ弾性復帰し、先端の突起部２２ｂが係合穴１６ａに挿入される。前記複数の係合穴１６ａのいずれかに突起部２２ｂを挿入することによって、スライド部材１６がその長さ方向へ位置決めされる。
その際、第２実施形態の支持装置１０２では、板バネ２２を変形させて突起部２２ｂを係合穴１６ａから抜き、板バネ２２を弾性復帰させて突起部２２ｂを係合穴１６ａに挿入する操作によってスライド部材１６を所定の位置に固定できることから、第１実施形態のねじ部２１と比較して、取付時の作業性を向上させることができる。
この結果、第２実施形態の支持装置１０２では、被支持体Ｓが左右に複数あり、かつこれら被支持体Ｓの前面が不揃いである場合、又は１台の被支持体Ｓの前面が大きく飛び出している場合であっても、これら不具合を容易に修正して被支持体Ｓの前面を同一面とすることが可能となる。
すなわち、第２実施形態に示される支持装置１０２においても、第１実施形態と同様、既存のラック構造に適用することで、大規模な構造変更を行うことなく、ラック１１に収容される被支持体Ｓである電子機器の前面の不揃いを容易に調整することが可能となる。
【００２５】
なお、上記実施形態の支持装置１０１,１０２では、１つの被支持体Ｓを支持する場合を図示しているが、実際には、上下及び／又は左右に多数個の被支持体Ｓが並ぶことを想定している。
このとき、上下及び／又は左右に多数個の被支持体Ｓを配置する場合には、該被支持体Ｓ間に配置されるラック１１を共用しても良いし、被支持体Ｓ毎に４本を一単位とした個別のラック１１を設けても良い。
【００２６】
以上、本発明の実施形態について図面を参照して詳述したが、具体的な構成はこの実施形態に限られるものではなく、本発明の要旨を逸脱しない範囲の設計変更等も含まれる。
【産業上の利用可能性】
【００２７】
本発明は、サーバ等の電子機器をラックに支持するための支持装置に関する。
【符号の説明】
【００２８】
１ ラック
２ マウントレール
３ インナーレール
４ 位置調整部材
５ 連結部材
６  固定具
１０  位置調整部材
１１  ラック
１２  マウントレール
１４  案内穴
１５  取付部材
１６  スライド部材
１６ａ  係合穴
１７  連結部材
２０  固定手段
２０´固定手段
２１  ねじ部
２２  板バネ
２２ａ  基端部
２２ｂ  突起部
５０  固定具
１００  支持装置
１０１  支持装置
１０２  支持装置
Ｓ  被支持体
【図１】
2018174179.tif 000003
【図２】
2018174179.tif 000004
【図３】
2018174179.tif 000005